(57)【要約】【課題】主として木造住宅に由来する木材廃棄物を解体現場等の作業現場で確実に破砕でき、メンテナンスをそれほど必要としない破砕機を提供する。【解決手段】投入口部（２４）及び排出口部（２６）が形成されたハウジング（２０）内の投入口部下方に回転軸（３０）を水平方向に延びて設け、投入口部の下端縁の回転軸回転方向の少なくとも一側方及びハウジング内面に固定破砕板（４１）を回転軸の軸線方向に延びて固定する一方、回転軸に回転破砕板（４０）を軸線方向に延びて固定し、駆動源（３２）によって回転軸を回転又は逆転させ、回転破砕板と固定破砕板との間で木材廃棄物を挟んで強圧することにより破砕する。【選択図】  図３
2004167447.tif 000002
【特許請求の範囲】
【請求項１】
主として木造住宅に由来する木材廃棄物を解体現場等の作業現場で破砕するのに適した破砕機であって、
上部に木材廃棄物を投入するための投入口部が形成され、底部に木材廃棄物の破砕片を排出する排出口部が形成されたハウジングと、
上記投入口部下方のハウジング内に水平方向に延びて設けられた回転軸と、
上記回転軸を回転又は逆転させる駆動源と、
上記投入口部の下端縁の回転軸回転方向の少なくとも一側方及びハウジング内面に上記回転軸の軸線方向に延びて取付けられ、木材廃棄物の破砕に必要な荷重に耐え得る厚みを有する固定破砕板と、
上記回転軸にその軸線方向に延びて取付けられ、木材廃棄物の破砕に必要な荷重に耐え得る厚みを有し、上記回転軸の回転又は逆転に伴って上記固定破砕板との間で木材廃棄物を挟んで強圧することにより破砕する回転破砕板と、
を備えたことを特徴とする木材廃棄物の破砕機。
【請求項２】
上記駆動源が油圧モータ、電動モータ又はエンジンである請求項１記載の木材廃棄物の破砕機。
【請求項３】
上記油圧モータが油圧ショベルから供給される油圧によって駆動されるようになした請求項２記載の木材廃棄物の破砕機。
【請求項４】
上記ハウジングには油圧ショベルのアーム先端部に取付けられる取付けブラケットが設けられている請求項１ないし３のいずれかに記載の木材廃棄物の破砕機。
【請求項５】
上記ハウジングの排出口部にはスクリーンが覆って取付けられ、該スクリーンには所定の大きさの破砕物を通過する複数の貫通孔が形成されている請求項１ないし４のいずれかに記載の木材廃棄物の破砕機。
【請求項６】
上記回転破砕板及び固定破砕板の先端縁部分が鋸歯状をなしている請求項１ないし５のいずれかに記載の木材廃棄物の破砕機。
【請求項７】
上記回転軸にはドラム状のカバーが設けられている請求項１ないし６のいずれかに記載の木材廃棄物の破砕機。
【発明の詳細な説明】
【０００１】
【発明の属する技術分野】
本発明は木材廃棄物の破砕機に関し、特に木造住宅に由来する木材廃棄物を解体現場で確実に破砕でき、しかもメンテナンス費用をそれほど必要としないようにした破砕機に関する。
【０００２】
【従来の技術】
例えば、伝統的な日本家屋の場合には柱、胴差、桁、梁等に杉や檜等の高級で耐久性のある材木が使用されているので、家屋を解体した時に出る柱、胴差、桁、梁等はこれを再利用することが多い。他方、最近の木造住宅の場合には柱、胴差、桁、梁等に安価な輸入材木が用いられ、その耐久年数も比較的短いことから、木造住宅の解体時には柱、胴差、桁、梁等を廃棄物として処分することが一般的に行われている。
【０００３】
かかる木材廃棄物は産業廃棄物として焼却処分され、あるいは破砕して埋立処分されることが多いが、適切な大きさに破砕すると、肥料や土地改良材として再利用することが可能である。
【０００４】
従来の破砕機では切断刃によって廃棄物を切断し（例えば、特許文献１、特許文献２、等参照）、あるいは喰込み刃を廃棄物に喰い込ませて廃棄物から破片を引きちぎるという作業を繰り返して廃棄物を破断する方式が採用されている（例えば、特許文献３、等参照）。
【０００５】
【特許文献１】特開２０００−２６２９１４号公報
【特許文献２】特開２００１−１９８４８５号公報
【特許文献３】特開平０５−１５８００号公報
【０００６】
【発明が解決しようとする課題】
しかし、木造住宅に由来する木材廃棄物には釘その他の金具が残っていることがあり、金具に切断刃や喰込み刃が当たると、刃欠け等が起こってすぐに使用できなくなり、切断刃や喰込み刃を交換する必要があってメンテナンスがコスト高になるという問題があった。
【０００７】
本発明は、かかる問題点に鑑み、木造住宅に由来する木材廃棄物を解体現場で確実に破砕でき、しかもそれほどメンテナンス費用を必要としないようにした木材廃棄物の破砕機を提供することを課題とする。
【０００８】
【課題を解決するための手段】
そこで、本発明に係る木材廃棄物の破砕機は、主として木造住宅に由来する木材廃棄物を解体現場等の作業現場で破砕するのに適した破砕機であって、上部に木材廃棄物を投入するための投入口部が形成され、底部に木材廃棄物の破砕片を排出する排出口部が形成されたハウジングと、上記投入口部下方のハウジング内に水平方向に延びて設けられた回転軸と、上記回転軸を回転又は逆転させる駆動源と、上記投入口部の下端縁の回転軸回転方向の少なくとも一側方及びハウジング内面に上記回転軸の軸線方向に延びて取付けられ、木材廃棄物の破砕に必要な荷重に耐え得る厚みを有する固定破砕板と、上記回転軸にその軸線方向に延びて取付けられ、木材廃棄物の破砕に必要な荷重に耐え得る厚みを有し、上記回転軸の回転又は逆転に伴って上記固定破砕板との間で木材廃棄物を挟んで強圧することにより破砕する回転破砕板と、を備えたことを特徴とする。
【０００９】
本発明の特徴の１つは厚みのある回転破砕板と固定破砕板との間で木材廃棄物を挟んで強圧することにより破砕するようにした点にある。
【００１０】
これにより、木材廃棄物に付着した釘その他の金具が回転破砕板や固定破砕板に当たって破砕板の欠損等が起こってもそのまま挟んで強圧することができるので、長期にわたって木材廃棄物を破砕できる。
【００１１】
しかも、固定破砕板及び回転破砕板は欠損が起こっても切断刃や喰込み刃のように交換する必要がないので、メンテナンス作業も少なく、メンテナンスを安価に行うことができる。
【００１２】
また、投入口部の下端縁に固定破砕板を設けているので、長尺の木材廃棄物がハウジング内に投入されても、木材廃棄物は投入口部の下端縁に固定破砕板と回転破砕板との間で強圧されて適度な長さに破断された後、ハウジング内部において固定破砕板と回転破砕板とによって確実に適度な大きさに破砕される。
【００１３】
駆動源には油圧モータ、電動モータ又はエンジンを用いることがてきる。
【００１４】
破砕機の運搬には油圧ショベルを利用することが多い。そこで、駆動源に油圧モータを用いる場合，油圧ショベルから供給される油圧によって駆動されるように構成するのがよい。
【００１５】
このように、油圧ショベルの油圧を利用して木材廃棄物を破砕するようにすると、別途動力源を設ける必要がなく、破砕機を小形化できる。その結果、油圧ショベルのアームを利用して破砕機を運搬できるので、作業現場における移動が非常に簡単にできる。
【００１６】
破砕機はワイヤーロープ等で破砕機を油圧ショベルのアームに吊り下げて運搬してもよいが、移動中における破砕機の姿勢の安定性に欠けるおそれがある。そこで、ハウジングには取付けブラケットを設け、ハウジングを油圧ショベルのアーム先端部に取付けるようにするのがよい。
【００１７】
固定破砕板及び回転破砕板の材料は特に限定されず、木材廃棄物の破砕に必要な荷重に耐え得るものであればどのような材料を用いてもよく，例えば硬質の特殊鋼等を用いることができるが、コストを考慮すると、普通鋼板の必要な箇所に焼き入れを行って用いるようにしてもよい。
【００１８】
排出口部は単に開口させたものでもよいが、例えば土壌改質材等の破砕片の用途を考慮すると、破砕片は大きさがある程度整っているのが好ましい。そこで、ハウジングの排出口部にはスクリーンを覆って取付け、スクリーンには所定の大きさの破砕物を通過する複数の貫通孔を形成するのがよい。
【００１９】
回転破砕板及び固定破砕板はその先端縁側を直線状としてもよく、先端縁の有効距離を長くして両破砕板から木材廃棄物に効率よく荷重が加わるように、回転破砕板及び固定破砕板の先端縁部分を鋸歯状となしてよい。
【００２０】
回転軸は軸状のままでもよいが、ハウジング内空間を狭くして木材廃棄物を効率よく破砕できるように、回転軸にはその全周又は周方向の一部にドラム状のカバーを設けるようにしてもよい。
【００２１】
【発明の実施の形態】
以下、本発明を具体例に基づいて詳細に説明する。図１ないし図３は本発明に係る木材廃棄物の破砕機の好ましい実施形態を示す。図において、架台１０には四隅に脚１１が設けられ、前脚１１は上端部の取付け軸の廻りに回動可能に設けられ，又架台１０には油圧ショベルのアーム６０の先端部に取付け可能な取付けブラケット１２が溶接等によって固定されている。
【００２２】
この架台１０にはハウジング２０が設けられ、該ハウジング２０は前後の半部２１、２２から構成され、両ハウジング半部２１、２２は架台１０に対して取付けピン２３の廻りに回転自在に設けられ、一方のハウジング半部２１には投入口部２４が開口され、該投入口部２４にはシュート２５が取付けられている。
【００２３】
また、架台１０のハウジング２０の底方が開口されて木材廃棄物７０の破砕片７１を排出する排出口部２６が形成され、該排出口部２６の下方には回転軸３０が架台１０の幅方向に水平に延びて設けられ、該回転軸３０は軸受３１によって架台１０に回転自在に支持されている。
【００２４】
この回転軸３０には油圧モータ３２が連結され、油圧モータ３２には供給切替装置３３が設けられ、供給切替装置３３には油圧ショベルの油圧供給パイプに接続可能な接続具３４が設けられ、油圧ショベルからの油圧の供給によって回転・逆転されるようになっている。なお、この供給切替装置３２には油圧ショベルに搭載されて油圧の供給制御を行う油圧シリンダを利用することができる。
【００２５】
また、回転軸３０にはその全周（周方向の一部でもよい）にドラム状のカバー３５が固定されるとともに、複数（本例では５枚）の回転破砕板４０が等角度間隔をあけて固定されている。
【００２６】
他方、ハウジング半部２１には排出口部２６の前後両側の下端縁に破砕板取付け用の長穴が形成され、該長穴には固定破砕板４１が差し込まれて交換可能に取付けられている。また、架台１０にはハウジング２０内の排出口部２６の前後両側縁に取付け台４２が固定され、該取付け台４２には固定破砕板４１が交換可能に固定されている。
【００２７】
回転破砕板４０及び固定破砕板４１は共に硬質の特殊鋼を用い、木材廃棄物７０を破砕するのに必要な荷重に耐え得る厚さに製作され、又両破砕板４０、４１の先端縁は鋸歯状に加工されて木材廃棄物を効率よく破砕できるようになっている。
【００２８】
また、架台１０には金属板製のスクリーン５０が排出口部２６を下方から覆って交換可能に固定されている。このスクリーン５０には所定の大きさの破砕物を通過する複数の貫通孔５１が形成されている。なお、貫通孔５１の大きさ異なるスクリーン５０を複数準備しておき、必要に応じて交換するのがよい。
【００２９】
例えば、家屋の解体現場において、柱、胴差、桁、梁等の木材廃棄物７０を破砕する場合、油圧ショベルのアーム６０の先端に破砕機１０の取付けブラケット１２を取付け、アーム６０によって破砕機１０を持ち上げて解体現場の適当な場所に降ろして設置する。
【００３０】
次に、油圧ショベルの油圧供給パイプと破砕機１０の供給切替装置３３の接続具３４とを接続し、油圧ショベルの運転席に設けられているレバー等を操作し、油圧を供給する。すると、破砕機１０では油圧モータ３２が駆動されて回転軸３０が回転（又は逆転）する。
【００３１】
そこで、シュート２５に木材廃棄物７０を投入すると、木材廃棄物７０は回転軸３０のカバー３５と当たった後、シュート２５下方の固定破砕板４１と回転破砕板４０との間に挟まれて強圧されることにより適当な長さに破断される。この破断片は回転軸３０の回転に伴ってハウジング２０の内方に送られ、ハウジング２０内の横方向の固定破砕板４１と回転破砕板４０との間に挟まれて強圧されることにより細かく破砕され、その破砕片７１はスクリーン５０の貫通孔５１から下方に落下する。
【００３２】
スクリーン５０を通過した破砕片７１はそのまま地上に落下させてもよいが、架台１０にバックを吊り下げておき、破砕片７１をバックで受けるようにすると、破砕片７１の後処理がさらに簡単になる。
【００３３】
また、スクリーン５０上には貫通孔５１を通過し得ない大きさの破砕片７１が残るが、このような破砕片７１は回転破砕板４０によって掻き上げられて横方向の固定破砕板４１に押し付けられ、その固定破砕板４１と回転破砕板４０との間に挟まれて強圧されることにより細かく破砕され、スクリーン５０に落下して貫通孔５１から下方に落下する。
【００３４】
また、何らかの原因で木材廃棄物７０や比較的大きな破断片が回転破砕板４０と固定破砕板４１との間に引っ掛かる等の原因により、回転破砕板４０が回転できなくなったような場合、油圧ショベルの運転席のレバー操作によって油圧モータ３２を逆転させると、木材廃棄物７０や破断片の引っ掛かりが外れ、回転破砕板４０が再び回転できるようになる。
【００３５】
また、本例の破砕機１０は運搬が簡単であるので、例えば山林まで破砕機１０を運び、伐採した間伐材や倒木を破砕することもできる。
【００３６】
回転破砕板４０又は固定破砕板４１に問題となるような欠損が起こった場合には同種の金属材料の肉盛りを行ない、必要に応じて焼き入れ等の処理を行って補修すればよい。
【図面の簡単な説明】
【図１】本発明に係る木材廃棄物の破砕機の好ましい実施形態を示す概略斜視図である。
【図２】上記実施形態の内部構造を示す概略斜視図である。
【図３】上記実施形態の使用方法を説明するための図である。
【符号の説明】
１０      破砕機
１１      脚
１２      取付けブラケット
２０      ハウジング
２４      投入口部
２５      シュート
２６      排出口部
３０      回転軸
３２      油圧モータ
３５      カバー
４０      回転破砕板
４１      固定破砕板
５０      スクリーン
６０      油圧ショベルのアーム
７０      木材廃棄物
７１      破砕片
【図１】
2004167447.tif 000003
【図２】
2004167447.tif 000004
【図３】
2004167447.tif 000005